(57)【要約】【課題】１枚の透明基板から取れる透明基板の数を増加させ、また、隣接する有機ＥＬパネル間の距離を短縮して露光ムラを低減するようにした有機ＥＬ露光装置を提供する。【解決手段】幅に対して長さが長い板状に形成され、表面１１ａが発光面となる透明基板１１と、透明基板１１の裏面１１ｂに設けられた透明電極１２と、その裏面に周縁部１１ｃを残すように、透明電極１２に積層された発光部１７と、透明電極１２との間に発光部１７を挟み込む金属電極１６と、を有する有機ＥＬパネル１０Ａと、発光部１７及び金属電極１６が間隙Ｇを介して収納される収納凹部２１を有する露光フレーム２０と、を備え、透明基板１１の裏面１１ｂの周縁部１１ｃを露光フレーム２０の収納凹部２１の開口周縁部２１ｂに当接させた状態で、封止材３０により有機ＥＬパネル１０Ａが露光フレーム２０に固定されて収納凹部２１が封止される。【選択図】図３
2014022156.tif 000002
【特許請求の範囲】
【請求項１】
幅に対して長さが長い板状に形成され、表面が発光面となる透明基板と、前記透明基板の裏面に設けられた透明電極と、前記透明基板の前記裏面に周縁部を残すように、前記透明電極に積層された発光部と、前記透明電極との間に前記発光部を挟み込む金属電極と、を有する有機ＥＬパネルと、
前記有機ＥＬパネルの前記発光部及び前記金属電極が間隙を介して収納される収納凹部を有する露光フレームと、を備え、
前記透明基板の前記裏面の前記周縁部を前記露光フレームの前記収納凹部の開口周縁部に当接させた状態で、封止材により前記有機ＥＬパネルが前記露光フレームに固定されて前記収納凹部が封止される、
ことを特徴とする有機ＥＬ露光装置。
【請求項２】
前記露光フレームが、焼結で作られたセラミックを材料としている、
ことを特徴とする請求項１に記載の有機ＥＬ露光装置。
【請求項３】
前記露光フレームの少なくとも前記有機ＥＬパネルの前記発光部及び前記金属電極が間隙を介して収納される前記収納凹部の表面に金属の薄膜の層を有する、
ことを特徴とする請求項１又は２に記載の有機ＥＬ露光装置。
【請求項４】
前記有機ＥＬパネルは、前記周縁部の近傍に前記封止材が塗布されることで、前記露光フレームに固定される、
ことを特徴とする請求項１ないし３のいずれか１項に記載の有機ＥＬ露光装置。
【請求項５】
前記有機ＥＬパネルは、前記収納凹部の前記間隙に前記封止材が充填されることで、前記露光フレームに固定される、
ことを特徴とする請求項１ないし４のいずれか１項に記載の有機ＥＬ露光装置。
【請求項６】
１つの前記露光フレームに対して、前記有機ＥＬパネルが長さ方向に複数枚、整列された状態で固定されている、
ことを特徴とする請求項１ないし５のいずれか１項に記載の有機ＥＬ露光装置。
【請求項７】
長さが異なる少なくとも２種類の前記有機ＥＬパネルが、幅方向にずれた状態で前記露光フレームに固定されている、
ことを特徴とする請求項１ないし６のいずれか１項に記載の有機ＥＬ露光装置。
【請求項８】
感光体と、
前記感光体の表面を均一に帯電する帯電装置と、
帯電後の前記感光体の表面に光を照射して光照射部分の電荷を除去して静電潜像を形成する露光装置と、
前記静電潜像にトナーを付着させてトナー像として現像する現像装置と、
前記トナー像を前記感光体からシート材に転写する転写装置と、を備え、
前記露光装置が、請求項１ないし７のいずれか１項に記載の有機ＥＬ露光装置を有する、
ことを特徴とする画像形成装置。
【発明の詳細な説明】
【技術分野】
【０００１】
本発明は、透明基板の裏面に電極で挟んだ発光部を有する有機ＥＬパネルを、主走査方向に沿って長く配列した有機ＥＬ露光装置、及びそれを備えた画像形成装置に関する。
【背景技術】
【０００２】
プリンタやコピー等の画像形成装置において、均一に帯電された後の感光ドラム表面を露光して静電潜像を形成する露光装置（画像書き込み装置）として、有機ＥＬパネルを使用した有機ＥＬ露光装置が提案されている（例えば、特許文献１，２参照）。
【０００３】
図６は、従来の有機ＥＬ露光装置１００の、長手方向（主走査方向）に直交する方向の断面である。
【０００４】
同図に示すように、有機ＥＬ露光装置１００は、有機ＥＬパネル１１０を、露光フレーム１２０に取り付けて構成されている。
【０００５】
有機ＥＬパネル１１０は、主走査方向に長い長方形状の透明基板１１１を備えている。透明基板１１１は、例えば、透明なガラス、プラスチック等によって形成されている。透明基板１１１の背面側（裏面側）には、順に、透明電極１１２、正孔輸送層１１３、発光層１１４、電子輸送層１１５、金属電極１１６が積層されている。このうち、正孔輸送層１１３、発光層１１４、電子輸送層１１５で構成される発光部１１７は、有機物で形成されていて、酸素や水分によって劣化しやすい。このため、発光部１１７、金属電極１１６をステンレス等の金属製の封止缶１１８によって密封することで、劣化を防止している。
【０００６】
封止缶１１８は、透明基板１１１の裏面に固定されている。透明基板１１１は、発光部１１７よりも大きく形成されていて、裏面には、発光部１１７の回り（４辺の回り）に額縁状の取り付け代として周縁部１１１ａが形成されている。封止缶１１８は、開口部の周縁部１１８ａが外側に屈曲されていて、幅広に形成されている。封止缶１１８は、その周縁部１１８ａを透明基板１１１の周縁部１１１ａに当接させて、接着剤等の封止材１３０ａによって接着されることで、透明基板１１１に固定されている。これにより、透明基板１１１、発光部１１７等を有する有機ＥＬパネル１１０が形成されている。
【０００７】
有機ＥＬパネル１１０は、さらに、接着剤等の封止材１３０ｂによって露光フレーム１２０に固定されている。露光フレーム１２０には、発光部１１７等が収納される収納凹部１２１が形成されている。有機ＥＬパネル１１０は、透明基板１１１の周縁部１１１ａを収納凹部１２１の開口周縁部１２１ａに当接させて、接着剤等の封止材１３０ｂによって露光フレーム１２０に固定されている。
【０００８】
この状態で、収納凹部１２１の内壁と封止缶１１８との間には、間隙（空間）Ｇが形成される。この間隙Ｇには、乾燥剤１１９が設けられて、間隙Ｇ内の水分を吸収するようにしている。
【０００９】
図７は、感光ドラム側から見た有機ＥＬ露光装置１００の斜視図である。露光フレーム１２０の主走査方向に複数枚の有機ＥＬパネル１１０を配列し、また、副走査方向に２列に有機ＥＬパネル１１０を配列して、全体として、有機ＥＬパネル１１０が千鳥状になるように配置されている。
【００１０】
なお、同図中のリード１１２ａは、有機ＥＬパネル１１０の透明電極１１２に電圧を印加するためのものである。
【００１１】
有機ＥＬ露光装置１００は、透明電極１１２と金属電極１１６との間に電圧を印加することにより、発光部１１７が発光し、この発光により、感光ドラム表面を露光するものである。
【先行技術文献】
【特許文献】
【００１２】
【特許文献１】特開２００２−２９２９２２号公報
【特許文献２】特開２００９−５１１５２号公報
【発明の概要】
【発明が解決しようとする課題】
【００１３】
しかし、図６，図７に示す有機ＥＬ露光装置１００によると、透明基板１１１の周縁部１１１ａを大きくとる必要があった。すなわち、周縁部１１１ａに、封止缶１１８の周縁部１１８ａを取り付けるための取り付け代と、透明基板１１１を露光フレーム１２０の開口周縁部１２１ａに取り付けるための取り付け代とを設ける必要があった。このため、発光部１１７として必要な光量を得るために必要な面積を確保すると、透明基板１１１の面積が大きくなりがちで、大きな１枚の透明基板からとれる透明基板１１１の数が少なくなるという問題があった。
【００１４】
また、透明基板１１１の周縁部１１１ａが大きくなるため、図７に示すように、有機ＥＬパネル１１０を主走査方向や副走査方向に配列する際に、隣接する有機ＥＬパネル１１０の発光部１１７間の距離が離れてしまう。このため、パネル全体の占有面積が広くなるとともに、露光ムラが発生しやすいという問題があった。
【００１５】
そこで、本発明は、大きな１枚の透明基板からとれる透明基板の数を多くすることができる。また、隣接する有機ＥＬパネル間の距離を短縮して、複数枚のパネル全体の占有面積を小さくすることができる。さらに、露光ムラを低減することができるようにした有機ＥＬ露光装置、及びこれを備えた画像形成装置を提供することを目的とするものである。
【課題を解決するための手段】
【００１６】
本発明に係る有機ＥＬ露光装置は、幅に対して長さが長い板状に形成され、表面が発光面となる透明基板と、前記透明基板の裏面に設けられた透明電極と、前記透明基板の前記裏面に周縁部を残すように、前記透明電極に積層された発光部と、前記透明電極との間に前記発光部を挟み込む金属電極と、を有する有機ＥＬパネルと、前記有機ＥＬパネルの前記発光部及び前記金属電極が間隙を介して収納される収納凹部を有する露光フレームと、を備え、前記透明基板の前記裏面の前記周縁部を前記露光フレームの前記収納凹部の開口周縁部に当接させた状態で、封止材により前記有機ＥＬパネルが前記露光フレームに固定されて前記収納凹部が封止される、ことを特徴としている。
【００１７】
本発明に係る画像形成装置は、感光体と、前記感光体の表面を均一に帯電する帯電装置と、帯電後の前記感光体の表面に光を照射して光照射部分の電荷を除去して静電潜像を形成する露光装置と、前記静電潜像にトナーを付着させてトナー像として現像する現像装置と、前記トナー像を前記感光体からシート材に転写する転写装置と、を備え、前記露光装置が、上記の有機ＥＬ露光装置を有する、ことを特徴とする。
【発明の効果】
【００１８】
本発明の有機ＥＬ露光装置によれば、透明基板の裏面の周縁部において、従来、封止缶を固定するのに必要であった部分が不要となるので、その分、透明基板の面積を小さくすることができる。このため、従来と同じ発光部の発光量を確保する場合、透明基板の大きさを小さくすることができる。したがって、１枚の大きな透明基板からとれる透明基板の数を増加させることができる。また、隣接する有機ＥＬパネル間の距離を短縮することができるので、複数枚のパネル全体の占有面積を小さくすることができる。そして、露光ムラを低減することができる。
【００１９】
本発明の画像形成装置によれば、複数枚の有機ＥＬパネルを並べて、有機ＥＬ露光装置を構成する際に、隣接する有機ＥＬパネル間の距離を短縮することができるので、その分、露光装置全体ひいては画像形成装置全体の構成をコンパクト化することができる。また、露光ムラに起因する画像劣化を低減させることができる。
【図面の簡単な説明】
【００２０】
【図１】感光ドラム５１の軸心Ｃに直交する平面で切った、感光ドラム５１及び露光ユニット５３の斜視図である。
【図２】有機ＥＬ露光装置１を感光ドラム５１側から見た正面図である。
【図３】図２中のIII−III線矢視拡大図である。
【図４】画像形成装置５０の概略構成を模式的に示す図である。
【図５】別の構成の有機ＥＬ露光装置２を説明する、図３に相当する図である。
【図６】従来の有機ＥＬ露光装置１００を説明する、図３に相当する図である。
【図７】従来の有機ＥＬ露光装置１００の、感光ドラム側から見た斜視図である。
【発明を実施するための形態】
【００２１】
以下、本発明の実施形態を図面に基づいて説明する。なお、数値は、参考数値であって、本発明を限定する数値ではない。
【００２２】
＜第１実施形態＞
図１〜図３を参照して、本発明を適用した第１実施形態に係る有機ＥＬ露光装置１、及びこれを備えた画像形成装置５０について説明する。
【００２３】
ここで、図１は、感光ドラム（感光体）５１の軸心（中心軸）Ｃに直交する平面で切った、感光ドラム５１及び露光ユニット（露光装置）５３の斜視図である。
【００２４】
図２は、有機ＥＬ露光装置１を感光ドラム５１側から見た正面図である。なお、図２の上部に示す矢印は、有機ＥＬ露光装置１の主走査方向及び副走査方向を示している。
【００２５】
図３は、図２中のIII−III線矢視図である。
【００２６】
これらの図に示すように、有機ＥＬ露光装置１は、有機ＥＬパネル１０Ａ，１０Ｂと、露光フレーム２０を備えて構成されている。
【００２７】
本実施形態の有機ＥＬ露光装置１では、図１，図２に示すように、露光フレーム２０における感光ドラム５１に対向する対向面１ａが、主走査方向に長い長方形の平面状に形成されている。この対向面１ａに、複数枚の有機ＥＬパネル１０Ａ，１０Ｂが配列されている。
【００２８】
図２に示すように、幅に対して長さが長い板状に形成された有機ＥＬパネル１０Ａは、その長さ方向が主走査方向に沿うように複数枚（３枚）のものが１列に整列されている。また、隣接する２枚の有機ＥＬパネル１０Ａの間には、副走査方向（幅方向）にずれた位置に、有機ＥＬパネル１０Ａよりも長さが短い有機ＥＬパネル１０Ｂが配設されている。図２に示す長さの異なる２種類の有機ＥＬパネル１０Ａ，１０Ｂが配設されている。
【００２９】
なお、有機ＥＬパネル１０Ａと有機ＥＬパネル１０Ｂとは、主走走査方向の長さが異なる点を除いて、他の構成は同様である。したがって、有機ＥＬパネル１０Ｂの説明は省略する。
【００３０】
図２，図３に示すように、有機ＥＬパネル１０Ａは、表面側（図３中の左側）から裏面側（図３中の右側）にかけて順に、透明基板１１、透明電極１２、正孔輸送層１３、発光層１４、電子輸送層１５、金属電極１６が積層されて一体に構成されている。
【００３１】
透明基板１１は、主走査方向に長い、透明の薄板状に形成されている。透明基板１１は、感光ドラム５１に対向する表面（正面）１１ａが発光面となる。透明基板１１は、例えば、透明なガラス、プラスチックによって形成されている。透明基板１１の裏面（背面）１１ｂには、透明電極１２が積層されている。
【００３２】
透明電極１２は、例えば、ＩＴＯと呼ばれる酸化インジウム錫などの透明な金属薄膜によって形成されている。透明電極１２には、図１，図２に示すリード１２ａが接続されていて、電圧が印加される。透明電極１２は、陽極（アノード）となる。
【００３３】
透明電極１２の裏面側には、さらに、正孔輸送層１３、発光層１４、電子輸送層１５がこの順に積層されている。これら正孔輸送層１３、発光層１４、電子輸送層１５によって発光部１７が構成されている。発光部１７の面積（正面側から、透明基板１１及び透明電極１２を透かして見たときの面積）は、透明基板１１よりも小さい。このため、透明基板１１の裏面１１ｂには、発光部１７の四周（四辺）からそれぞれ外側に飛び出すように、額縁状の周縁部１１ｃが形成されている。言い換えると、発光部１７を構成する正孔輸送層１３、発光層１４、電子輸送層１５は、透明基板１１の裏面１１ｂに周縁部１１ｃを残すように積層されている。これら正孔輸送層１３、発光層１４、電子輸送層１５には、例えば、ジアミン、アントラセン、金属錯体などの有機物が使用される。
【００３４】
なお、発光部１７は、上述では３層の場合を説明したが、１層構成のものや、３層にさらに正孔注入層、電子注入層を加えた５層構成のものであってもよい。
【００３５】
金属電極１６は、発光部１７の背面側、つまり電子輸送層１５の背面側に積層されている。金属電極１６は、アルミニウムや銀・マグネシウム合金、カルシウム等の金属薄膜によって形成されている。金属電極１６は、陰極（カソード）となる。金属電極１６には、リード（不図示）が接続されている。上述の透明電極１２と金属電極１６の各層間の厚さは、数ｎｍから数百ｎｍである。
【００３６】
なお、本実施形態の有機ＥＬパネル１０Ａは、図６に示す有機ＥＬパネル１１０とは異なり、発光部１７、金属電極１６を覆って密封する金属缶を有していない。
【００３７】
上述構成の有機ＥＬパネル１０Ａは、露光フレーム２０に取り付けられて、露光フレーム２０とともに有機ＥＬ露光装置１を構成している。
【００３８】
露光フレーム２０は、主走査方向に長く形成されている。露光フレーム２０は、感光ドラム５１に対向する対向面１ａに、有機ＥＬパネル１０Ａの発光部１７及び金属電極１６が収納される収納凹部２１が形成されている。収納凹部２１は、主走査方向に長い、薄板状の凹部である。収納凹部２１の開口部２１ａは、主走査方向に長い長方形状であって、その面積は、発光部１７よりも大きく、透明基板１１よりも小さい。露光フレーム２０の対向面１ａにおける、開口部２１ａの周囲に位置する部分を開口周縁部２１ｂとする。上述の有機ＥＬパネル１０Ａは、発光部１７、金属電極１６を収納凹部２１に収納した状態で、裏面１１ｂの周縁部１１ｃを開口周縁部２１ｂに当接させた状態で、接着剤等の封止材３０が周縁部１１ｃの近傍に塗布されて固定されている。これにより、収納凹部２１における、発光部１７及び金属電極１６と、収納凹部２１の内面との間に間隙（空間）Ｇが形成される。封止材３０は、この間隙Ｇを密封して、外部から間隙Ｇに水分や酸素が侵入するのを防止している。ただし、封止材３０は、間隙Ｇに閉じ込められている水分は、除去できないので、これを除去するために、収納凹部２１の底部２１ｃに乾燥剤２２が設けてある。
【００３９】
露光フレーム２０は、例えば、焼結で作られたセラミックを材料としている。セラミックは、ガス透過性が低い。このため、従来設けていた封止缶を省略した場合であっても、外気中の水分等が間隙Ｇに侵入しにくい。
【００４０】
また、有機ＥＬパネル１０Ａにあっては、封止缶を省略することにより、これを透明基板１１の裏面１１ｂに取り付けるための取り付け代が不要となった。このため、発光部１７の面積を所定の広さだけ確保する際に、全体の面積を小さくすることが可能となった。すなわち、有機ＥＬパネル１０Ａの幅（副走査方向の寸法）及び長さ（主走査方向の寸法）を小さくすることができた。
【００４１】
なお、前述したように、有機ＥＬパネル１０Ｂは、上述の有機ＥＬパネル１０Ａに対して主走査方向の長さがこれよりも短い点を除いて、他の構成は同じである。
【００４２】
図２に示すように、従来と比較して、有機ＥＬパネル１０Ａ，１０Ｂは、幅及び長さを小さくすることができるので、２つのものを隣接させて配列した場合に、発光部１７の相互間の距離を短くすることができる。このため、図３に示すように、有機ＥＬパネル１０Ａを主走査方向に一列に複数枚（３枚）配列する際には、主走査方向の全体の長さを短縮することができる。また、２枚の有機ＥＬパネル１０Ａの間に、副走査方向にずらして有機ＥＬパネル１０Ｂを配設する場合には、有機ＥＬパネル１０Ａ，１０Ｂの全体としての副走査方向の幅を短縮することができる。
【００４３】
上述構成の有機ＥＬ露光装置１は、透明電極１２と金属電極１６との間に電圧を印加すると、それぞれから正孔と電子とが注入され、正孔輸送層１３、電子輸送層１５を通過して、発光層１４で結合する。この結合エネルギーで発光層１４の発光材料が励起され、励起状態から再び基底状態に戻る際に光が発生される。
【００４４】
図１を参照して、有機ＥＬ露光装置１を備えた露光ユニット（露光装置）５３について説明する。
【００４５】
露光ユニット５３は、有機ＥＬ露光装置１と、これを収納する収納フレーム６１と、結像光学系６２とを備えている。
【００４６】
収納フレーム６１は、箱状に形成されている。収納フレーム６１は、感光ドラム５１に対向する対向部６１ａを有している。対向部６１ａには、主走査方向に沿って結像光学系６２が配設されている。結像光学系６２は、対向部６１ａの外側と内側とを貫通するように配設されている。結像光学系６２としては、例えば、セルフォックレンズアレイを使用することができる。セルフォックは登録商標名である。
【００４７】
収納フレーム６１における、主走査方向に沿っての両端部には、それぞれ感光ドラム５１に向けて突設された脚部６１ｂが設けてある（ただし、一方の脚部６１ｂのみを図示）。また、各脚部６１ｂには、感光ドラム５１の表面の周方向の異なる２箇所に当接する位置決めコロ６１ｃが回転自在に取り付けられている（ただし、感光ドラム５１の回転方向（矢印Ｓ方向）に沿っての上流側のもののみを図示）。このように、位置決めコロ６１ｃは、合計４個が感光ドラム５１の表面に当接されていて、感光ドラム５１の表面に対して、収納フレーム６１の位置決めを行っている。
【００４８】
有機ＥＬ露光装置１は、収納フレーム６１の内側に、対向面１ａが感光ドラム５１に向くように保持されている。有機ＥＬ露光装置１は、有機ＥＬパネル１０Ａが結像光学系６２と平行になるように配設されている。これにより、有機ＥＬ露光装置１から発光された光が、結像光学系６２を通過して、感光ドラム５１の表面の母線上に結像される。つまり、感光ドラム５１の表面を主走査する。さらに、結像された光は、感光ドラム５１の矢印Ｓ方向の回転に伴って感光ドラム５１の表面を副走査する。
【００４９】
図４は、上述の有機ＥＬ露光装置１を備えた、画像形成装置５０の概略構成を説明する模式図である。
【００５０】
画像形成装置５０は、感光体として、矢印Ｓ方向に回転駆動される感光ドラム５１を有している。感光ドラム５１の周囲には、その回転方向（矢印Ｓ方向）に沿って略順に、帯電ローラ（帯電装置）５２、露光ユニット（露光装置）５３、現像装置５４、転写ローラ（転写装置）５５、クリーニング装置５６が配設されている。さらに、シート材Ｐの搬送方向（矢印Ｋ方向）に沿っての、感光ドラム５１の下流側には、定着装置５７が配設されている。
【００５１】
シート材に画像を形成するに際し、感光ドラム５１は、矢印Ｓ方向に回転駆動される。感光ドラム５１表面は、帯電ローラ５２によって所定の電位に均一に帯電される。帯電後の感光ドラム５１の表面は、露光ユニット５３によって画像情報に基づく露光（光の照射）が行われ、露光部分（光照射部分）の電荷が除去されて静電潜像が形成される。静電潜像は、現像装置５４によってトナーが付着されてトナー像として現像される。
【００５２】
感光ドラム５１の表面のトナー像は、シート搬送装置（不図示）によって搬送されてきたシート材Ｐに、転写ローラ５５によって転写される。トナー像転写後のシート材Ｐは、定着装置５７の定着ローラ５７ａと加圧ローラ５７ｂとの間のニップ部にて挟持搬送されつつ加熱・加圧されることで、表面にトナー像が定着される。
【００５３】
なお、トナー像転写後の感光ドラム５１は、表面に残った転写残トナーがクリーニング装置５６のクリーニングブレード５６ａによって除去されて、次の画像形成に供される。
【００５４】
以上で、１枚のシート材Ｐに対する画像形成が終了する。
【００５５】
以上の画像形成装置５０は、露光装置が、例えば、レーザビームユニットである場合とは異なり、高速回転するポリゴンミラー等の可動部分を持たないので、騒音を抑制することができ、また、構成を簡略化することができる。
【００５６】
図５は、上述の有機ＥＬ露光装置１とは別の有機ＥＬ露光装置２を示す、図３に相当する図である。なお、同じ構成の部材等は、同じ符号を付して、重複説明は量略する。
【００５７】
同図に示す有機ＥＬ露光装置２は、図３に示す有機ＥＬ露光装置１から乾燥剤２２を省略し、間隙（空間）Ｇに封止材３１としての接着剤等を充填し、この封止材３１によって透明基板１１を露光フレーム２０の開口周縁部２１ｂに固定している。
【００５８】
なお、図５に示す有機ＥＬ露光装置２では、図３に示す封止材３０は省略しているが、これは、省略せずに設けるようにしてもよい。
【００５９】
有機ＥＬ露光装置２によれば、間隙Ｇを封止材３１で充填しているので、発光部１７や金属電極１６に対する水分や酸素の影響を一層低減することができる。
【００６０】
ここで、以下に上述構成の有機ＥＬ露光装置１，２、画像形成装置５０の作用・効果を整理する。
【００６１】
有機ＥＬ露光装置１，２によれば、封止缶を固定するための取り付け代を省略することにより、透明基板１１の裏面１１ｂの周縁部１１ｃを小さくすることができるので、透明基板１１の面積を小さくすることができる。つまり、幅及び長さを短縮することができる。
【００６２】
これにより、１枚の大きな透明基板から取れる透明基板１１の数を多くすることができる。
【００６３】
また、有機ＥＬパネル１０Ａ，１０Ｂを主走査方向に１列に複数枚配列する場合や、副走査方向に複数枚配列する場合に、パネル全体としての主走査方向や副走査方向の長さを短縮することができる。
【００６４】
また、隣接する有機ＥＬパネル１０Ａ，１０Ｂの発光部１７間の距離を短縮することができるので、露光ムラを低減することができる。
【００６５】
さらに、有機ＥＬ露光装置２は、有機ＥＬ露光装置１と比較して、間隙（空間）Ｇに封止材３１を充填しているので、発光部１７や金属電極１６に対する水分や酸素の影響を一層、低減することができる。
【００６６】
このような有機ＥＬ露光装置１，２を備えた画像形成装置５０によれば、例えば、レーザビームプリンタ等と比較した場合、有機ＥＬ露光装置１，２が、高速回転するポリゴンミラー等の可動部を有していない。このため、騒音を低減するとともに、構成を簡略化することができる。
【００６７】
また、従来の有機ＥＬ露光装置を備えた画像形成装置と比較して、有機ＥＬ露光装置１，２を備えた画像形成装置５０は、有機ＥＬ露光装置１，２が、露光ムラが少ないので、露光ムラに起因する画像の劣化を防止することができる。
【符号の説明】
【００６８】
１，２…有機ＥＬ露光装置、１０Ａ，１０Ｂ…有機ＥＬパネル、１１…透明基板、１１ａ…表面、１１ｂ…裏面、１１ｃ…周縁部、１２…透明電極、１３…正孔輸送層、１４…発光層、１５…電子輸送層、１６…金属電極、１７…発光部、２０…露光フレーム、２１…収納凹部、２１ａ…開口部、２１ｂ…開口周縁部、３０，３１…封止材、５０…画像形成装置、５１…感光ドラム（感光体）、５２…帯電ローラ（帯電装置）、５３…露光ユニット（露光装置）、５４…現像装置、５５…転写ローラ（転写装置）、５７…定着装置、Ｇ…間隙（空間）、Ｐ…シート材。
【図１】
2014022156.tif 000003
【図２】
2014022156.tif 000004
【図３】
2014022156.tif 000005
【図４】
2014022156.tif 000006
【図５】
2014022156.tif 000007
【図６】
2014022156.tif 000008
【図７】
2014022156.tif 000009